(57)【要約】【課題】把持しやすく、かつ、比較的に簡単または低廉に製造可能な取っ手を提供する。【解決手段】取っ手は、板状部材で形成されている。取っ手は、所定の仮想平面に平行な第１の方向に互いに離間して配置されている一対の支持部分と、少なくとも一部が第１の方向において一対の支持部分の間に配置されている把持部分と、把持部分と支持部分とを連結する一対の連結部分と、を有する。所定の仮想平面に垂直な第２の方向視で、把持部分における、第１の方向に略垂直な第３の方向の一方側の縁部の少なくとも一部は、一対の支持部分のそれぞれにおける第３の方向の一方側の縁部に対して、第３の方向の他方側に位置している。【選択図】図３
2020002664.tif 000002
【特許請求の範囲】
【請求項１】
板状部材で形成されている取っ手であって、
所定の仮想平面に平行な略平板状の一対の支持部分であって、前記所定の仮想平面に平行な第１の方向に互いに離間して配置されている一対の支持部分と、
前記第１の方向に延びる略平板状の把持部分であって、少なくとも一部が前記第１の方向において前記一対の支持部分の間に配置されている把持部分と、
略平板状の一対の連結部分であって、前記把持部分における前記第１の方向の両端部と、前記一対の支持部分における前記把持部分側の端部と、をそれぞれ連結する一対の連結部分と、
を有し、
前記所定の仮想平面に垂直な第２の方向視で、前記把持部分における、前記第１の方向に略垂直な第３の方向の一方側の縁部の少なくとも一部は、前記一対の支持部分のそれぞれにおける前記第３の方向の前記一方側の縁部に対して、前記第３の方向の他方側に位置している、
取っ手。
【請求項２】
請求項１に記載の取っ手において、さらに、
前記把持部分における前記第３の方向の両側の縁部の少なくとも一方は、前記板状部材が折り曲げられている部分を有する、
取っ手。
【発明の詳細な説明】
【技術分野】
【０００１】
本明細書に開示される技術は、取っ手に関する。
【背景技術】
【０００２】
取っ手は、例えばカーテン、引き戸や開き戸などの移動体に取り付けられる。従来、円柱状の把持部と、把持部の両端にそれぞれ設けられた角形の脚部と、を備えた取っ手が知られている（例えば特許文献１参照）。
【先行技術文献】
【特許文献】
【０００３】
【特許文献１】特開２００６−９７３７４号公報
【発明の概要】
【発明が解決しようとする課題】
【０００４】
上述したように、従来の取っ手は、円柱状の把持部と、把持部の両端にそれぞれ設けられた角形の脚部と、を備えた構成であるため、例えば、鋳造等によって製造せざるを得ず、製造工程が複雑化したり、製造コストが高くなったり、また、取っ手自体の重量が重くなったりするといった問題があった。
【０００５】
本明細書では、上述した課題の少なくとも一部を解決することが可能な技術を開示する。
【課題を解決するための手段】
【０００６】
本明細書に開示される技術は、以下の形態として実現することが可能である。
【０００７】
（１）本明細書に開示される取っ手は、板状部材で形成されている取っ手であって、所定の仮想平面に平行な略平板状の一対の支持部分であって、前記所定の仮想平面に平行な第１の方向に互いに離間して配置されている一対の支持部分と、前記第１の方向に延びる略平板状の把持部分であって、少なくとも一部が前記第１の方向において前記一対の支持部分の間に配置されている把持部分と、略平板状の一対の連結部分であって、前記把持部分における前記第１の方向の両端部と、前記一対の支持部分における前記把持部分側の端部と、をそれぞれ連結する一対の連結部分と、を有し、前記所定の仮想平面に垂直な第２の方向視で、前記把持部分における、前記第１の方向に略垂直な第３の方向の一方側の縁部の少なくとも一部は、前記一対の支持部分のそれぞれにおける前記第３の方向の前記一方側の縁部に対して、前記第３の方向の他方側に位置している。
【０００８】
本取っ手は、板状部材で形成されているものであるため、比較的簡単な製造方法により低コストで製造することが可能である。また、本取っ手では、把持部分における所定の方向（第３の方向）の一方側の縁部は、一対の支持部分における該一方側の縁部に対して、該所定方向の他方側に位置している。このため、本取っ手によれば、把持部分における一方側の縁部が、一対の支持部分のそれぞれにおける一方側の縁部に対して、第３の方向において同じ位置に配置された構成に比べて、移動体に取り付けられた取っ手の把持部分の背後に手が入りやすく、把持しやすい。以上のように、本取っ手によれば、把持しやすく、かつ、比較的に簡単または低廉に製造可能な取っ手を提供することができる。
【０００９】
（２）上記取っ手において、さらに、前記把持部分における前記第３の方向の両側の縁部の少なくとも一方は、前記板状部材が折り曲げられている部分を有する構成としてもよい。
【００１０】
本取っ手によれば、把持部分における両縁部の少なくとも一方は、板状部材が折り返された部分を有するため、把持部分が折り返された部分を有しない構成に比べて、把持部分の縁部の円味の程度が高くなるため、把持部分の握り心地を向上させることができる。
【００１１】
本明細書によって開示される技術は、種々の形態で実現することが可能であり、例えば、カーテン、引き戸や開き戸など、各種の移動体に取り付けられる取っ手、その製造方法等の形態で実現することが可能である。
【図面の簡単な説明】
【００１２】
【図１】実施形態における仕切具１０の外観構成を概略的に示す正面図である。
【図２】第１の取っ手１００Ｒの構成を示す斜視図である。
【図３】第１の取っ手１００Ｒの構成を示す正面図である。
【図４】第１の取っ手１００Ｒの構成を示す左側面図である。
【図５】変形例１に係る取っ手１００ａの把持部分１１０ａのＸＺ断面構成を示す斜視図である。
【図６】変形例２に係る取っ手１００ｂにおける把持部分１１０と連結部分１３０との接続部分を拡大して示す説明図である。
【発明を実施するための形態】
【００１３】
Ａ．実施形態：
Ａ−１．仕切具１０の構成：
図１は、本実施形態における仕切具１０の外観構成を概略的に示す正面図である。図１には、方向を特定するための互いに直交するＸＹＺ軸が示されている。本明細書では、便宜的に、Ｚ軸正方向を上方向といい、Ｚ軸負方向を下方向といい、Ｘ軸正方向を右方向といい、Ｘ軸負方向を左方向といい、Ｙ軸正方向を後ろ方向といい、Ｙ軸負方向を前方向というものとするが、仕切具１０は実際にはそのような向きとは異なる向きで設置されてもよい。なお、図２以降についても同様である。
【００１４】
仕切具１０は、建物（工場など）の内外の仕切りや建物内の間仕切りのために設置されるものである。仕切具１０の設置により、例えば、建物内の作業環境や衛生管理が改善される。
【００１５】
図１に示すように、仕切具１０は、一対の取っ手１００（第１の取っ手１００Ｒと、第２の取っ手１００Ｌ）と、レール２００と、一対のシート３００（第１のシート３００Ｒ、第２のシート３００Ｌ）と、一対のサイドポール３５０（第１のサイドポール３５０Ｒ、第２のサイドポール３５０Ｌ）と、を備える。
【００１６】
レール２００は、レール本体２１０と、複数のランナー２２０と、を含む。レール本体２１０は、左右方向（Ｘ軸方向）に延びているレール体である。レール本体２１０は、例えば建物内の天井や梁等に固定されている。なお、レール本体２１０の上下方向（Ｚ軸方向）視での形状は、直線状に延びている形状であってもよいし、曲線状に延びている形状であってもよい。複数のランナー２２０は、レール本体２１０の下面側に配置され、かつ、レール本体２１０に沿って移動可能に設けられている。各ランナー２２０には、シート３００を吊り下げるためのフックが設けられている。
【００１７】
シート３００は、例えば矩形状のビニールカーテンである。シート３００の上辺側の縁部には、複数のハトメ３１０（貫通孔）が左右方向（Ｘ軸方向）に等間隔で並ぶように形成されている。各シート３００に形成された複数のハトメ３１０は、それぞれ、レール本体２１０に移動可能に設けられた複数のランナー２２０のフックに引っ掛けられている。これにより、各シート３００は、レール２００に吊り下げられつつ、左右方向に移動可能になっている。
【００１８】
サイドポール３５０は、上下方向（Ｚ軸方向）に延びる棒状体であり、サイドポール３５０の上下方向の寸法は、シート３００の上下方向の寸法と略同一である。サイドポール３５０は、例えばアルミニウム等の軽金属により形成されている。一対のサイドポール３５０は、一対のシート３００の間に配置されている。各サイドポール３５０の上端は、レール本体２１０に設けられた１つのランナー２２０に連結されているため、サイドポール３５０は、シート３００と同様に、左右方向（Ｘ軸方向）に移動可能になっている。第１のサイドポール３５０Ｒは、第１のシート３００Ｒの左辺側の縁部を挟み込むように保持しており、第２のサイドポール３５０Ｌは、第２のシート３００Ｌの右辺側の縁部を挟み込むように保持している。なお、第１のサイドポール３５０Ｒと第２のサイドポール３５０Ｌとの互いの対向面には、マグネットプレート（図示せず）が配置されており、第１のサイドポール３５０Ｒと第２のサイドポール３５０Ｌとが磁力で互いに引き合うようになっている。
【００１９】
Ａ−２．取っ手１００の構成：
図２は、第１の取っ手１００Ｒの構成を示す斜視図であり、図３は、第１の取っ手１００Ｒの構成を示す正面図であり、図４は、第１の取っ手１００Ｒの構成を示す左側面図である。図１および図２に示すように、第１の取っ手１００Ｒは、第１のサイドポール３５０Ｒの前面３５２に固定されている。以下、第１の取っ手１００Ｒの構成について説明する。
【００２０】
第１の取っ手１００Ｒは、例えば１枚の長方形状の板状部材が折り曲げられて形成されている。第１の取っ手１００Ｒ（板状部材）は、例えばステンレス等の金属により形成されている。第１の取っ手１００Ｒは、把持部分１１０と、一対の支持部分１２０と、一対の連結部分１３０と、を有する。
【００２１】
一対の支持部分１２０は、第１の取っ手１００Ｒのうち、第１のサイドポール３５０Ｒに固定される部分である。図３および図４に示すように、各支持部分１２０は、上下方向に延びている略長方形の平板状の部分である。また、一対の支持部分１２０（支持部分１２０の背面）は、いずれも、所定の仮想平面Ｍ（第１のサイドポール３５０Ｒに固定されたときには、第１のサイドポール３５０Ｒの前面３５２）に平行であり、かつ、該仮想平面Ｍ上に配置されている（図４参照）。また、一対の支持部分１２０は、上下方向に互いに離間して配置されている。また、各支持部分１２０には、１または複数（本実施形態では２つ）の固定用孔１２２が貫通形成されている。各支持部分１２０に形成された固定用孔１２２に挿入されたビス３６０が、第１のサイドポール３５０Ｒの前面３５２に形成されたビス孔（図示しない）に螺合されることにより、第１の取っ手１００Ｒが第１のサイドポール３５０Ｒに固定されている。なお、複数の固定用孔１２２は、上下方向に並ぶように配置されていることが好ましい。また、図３に示すように、支持部分１２０の角部は、面取り（例えばＣ面取り）されていることが好ましい。
【００２２】
把持部分１１０は、第１の取っ手１００Ｒのうち、人に把持される部分である。図３および図４に示すように、把持部分１１０は、上下方向に延びる略長方形の平板状の部分である。本実施形態では、把持部分１１０の上下方向の寸法は、各支持部分１２０の上下方向の寸法に比べて、長い。具体的には、把持部分１１０の上下方向の寸法は、各支持部分１２０の上下方向の寸法の２倍以上である。把持部分１１０は、各支持部分１２０（仮想平面Ｍ）に略平行である。ただし、把持部分１１０は、仮想平面Ｍ上に配置されておらず、支持部分１２０より前側に配置されている。また、把持部分１１０は、上下方向において一対の支持部分１２０の間に配置されている。
【００２３】
一対の連結部分１３０は、第１の取っ手１００Ｒのうち、把持部分１１０と各支持部分１２０とを連結するための部分である。図３および図４に示すように、各連結部分１３０は、上下方向（Ｚ軸方向）および仮想平面Ｍに対して傾斜した方向に延びている略長方形状の平板状の部分である。一対の連結部分１３０は、把持部分１１０における上下方向の両端部と、一対の支持部分１２０における把持部分１１０側の端部と、をそれぞれ連結する。具体的には、上側に位置する連結部分１３０の上端側は、上側に位置する支持部分１２０の下端側に一体的に接続されており、該上側に位置する連結部分１３０の下端側は、把持部分１１０の上端側に一体的に接続されている。下側に位置する連結部分１３０の下端側は、下側に位置する支持部分１２０の上端側に一体的に接続されており、該下側に位置する連結部分１３０の上端側は、把持部分１１０の下端側に一体的に接続されている。図３および図４に示すように、本実施形態では、各連結部分１３０は、支持部分１２０に対して略垂直であり、かつ、把持部分１１０に対して略垂直である。また、図４に示すように、一対の連結部分１３０は、仮想平面Ｍとの距離が長くなるに連れて、連結部分１３０同士の距離が短くなる方向に傾斜している。仮想平面Ｍに対する連結部分１３０の傾斜角度（鋭角）は、３０度以上、６０度以下であることが好ましく、略４５度であることがより好ましい。
【００２４】
図３に示すように、第１の取っ手１００Ｒでは、前後方向（Ｙ軸方向）視で、把持部分１１０における左側の縁部１１２の少なくとも一部は、一対の支持部分１２０のそれぞれの左側の縁部１２４に対して、右側に位置している。具体的には、一対の支持部分１２０のそれぞれの左端の縁部１２４は、上下方向に平行な第１の仮想直線Ｌ１に沿って延びる直線状であり、把持部分１１０における左側の縁部１１２は、全長にわたって、上下方向に平行な第２の仮想直線Ｌ２に沿って延びる直線状である。把持部分１１０における左側の縁部１１２（第２の仮想直線Ｌ２）は、一対の支持部分１２０のそれぞれの左端の縁部１２４（第１の仮想直線Ｌ１）に対して、右側に位置している。より具体的には、把持部分１１０における左側の縁部１１２（第２の仮想直線Ｌ２）は、一対の支持部分１２０のそれぞれの右端の端部に対して、さらに、右側に位置している。なお、第１の仮想直線Ｌ１と第２の仮想直線Ｌ２との距離は、把持部分１１０の周囲に人の指が十分に入る空間が確保される程度の距離が好ましく、例えば２ｃｍ以上、あるは、３ｃｍ以上であることが好ましい。
【００２５】
なお、上述したように、第１の取っ手１００Ｒは、例えば１枚の長方形状の板状部材が折り曲げられて形成されている。このため、把持部分１１０と支持部分１２０と連結部分１３０とは、互いに、厚さが略同一であり、長手方向に直交する方向の横幅が略同一である。なお、把持部分１１０の握り心地の向上のため、少なくとも把持部分１１０のエッジが面取りされていることが好ましい。
【００２６】
図１に示すように、第２の取っ手１００Ｌは、第２のサイドポール３５０Ｌの前面３５２に固定されている。第２の取っ手１００Ｌも、第１の取っ手１００Ｒと同様、例えば１枚の長方形状の板状部材が折り曲げられて形成されている。第２の取っ手１００Ｌ（板状部材）は、例えばステンレス等の金属により形成されている。第２の取っ手１００Ｌは、把持部分１１０と、一対の支持部分１２０と、一対の連結部分１３０と、を有する。ただし、第２の取っ手１００Ｌは、前後方向（Ｙ軸方向）視で、把持部分１１０における右側の縁部の少なくとも一部は、一対の支持部分１２０のそれぞれの右側の縁部に対して、左側に位置している点で、第１の取っ手１００Ｒとは異なる（図１参照）。
【００２７】
なお、Ｚ軸方向（上下方向）は、特許請求の範囲における第１の方向に相当し、Ｙ軸方向（前後方向）は、特許請求の範囲における第２の方向に相当し、Ｘ軸方向（左右方向）は、特許請求の範囲における第３の方向に相当する。
【００２８】
また、上述の取っ手１００は、次の方法により作製することができる。まず、略長方形状の平板状部材を準備し、次に、この平板状部材に対して所定の金型を用いてプレス加工を施すことにより、平板状部材が折り曲げ加工され、その結果、取っ手１００が製造される。
【００２９】
Ａ−３．本実施形態の効果：
以上説明したように、本実施形態の取っ手１００は、板状部材が折り曲げられて形成されているものであるため、比較的簡単な製造方法により低コストで製造することが可能である。また、本実施形態の取っ手１００は、従来の取っ手に比べて軽量であるため、取っ手の重量に起因して移動体が移動し難くなることを抑制することができる。また、把持部分１１０における左右方向（Ｘ軸方向）の一方側の縁部は、一対の支持部分１２０における該一方側の縁部に対して、該左右方向の他方側に位置している。このため、本実施形態によれば、把持部分１１０における一方側の縁部が、一対の支持部分１２０のそれぞれにおける一方側の縁部に対して、左右方向において同じ位置に配置された構成に比べて、サイドポール３５０に取り付けられた取っ手１００の把持部分１１０の背後に手が入りやすく、把持しやすい。以上のように、本実施形態によれば、把持しやすく、かつ、比較的に簡単または低廉に製造可能な取っ手１００を提供することができる。
【００３０】
具体的には、図１に示すように、本実施形態の仕切具１０は、一対のシート３００を備える両開きの構成であり、一対のシート３００を閉じた状態で、一対のサイドポール３５０が隣接配置される。ここで、一対の取っ手１００は、上述の構成により、互いの把持部分１１０が離間した状態になる。このため、使用者は、一対の取っ手１００を把持し易く、一対のシート３００を円滑に移動させることができる。
【００３１】
Ｂ．変形例：
本明細書で開示される技術は、上述の実施形態に限られるものではなく、その要旨を逸脱しない範囲において種々の形態に変形することができ、例えば次のような変形も可能である。
【００３２】
上記実施形態における仕切具１０の構成は、あくまで一例であり、種々変形可能である。例えば、上記実施形態では、取っ手１００は、１枚の長方形状の平板状部材が折り曲げられて形成されたものであったが、これに限らず、互いに重ねられた複数枚の板状部材が折り曲げられて形成されたものでもよい。また、取っ手１００は、板状部材が折り曲げられて形成されたものに限らず、プレス成形により取っ手１００の形状に形成されたものでもよい。また、取っ手１００は、長方形状以外の形状（例えば把持部分となる部分の横幅が、支持部分や連結部分となる部分の横幅に比べて広い形状）の板状部材が折り曲げられて形成されたものでもよい。また、支持部分１２０の前後方向（Ｙ軸方向）視での形状は、略長方形に限らず、略正方形、湾曲した形状、屈曲した形状などでもよい。また、上記実施形態では、一対の支持部分１２０は、互いに共通の仮想平面Ｍ上に配置されていたが、互いに異なる仮想平面上に配置されていてもよい。また、各支持部分１２０をサイドポール３５０に固定する方法は、ビス締めに限らず、公知の各種の固定方法を採用することができる。
【００３３】
上記実施形態では、把持部分１１０は、支持部分１２０に略平行であったが、これに限らず、把持部分１１０は、支持部分１２０に対して傾斜していてもよい。また、上記実施形態において、把持部分１１０の上下方向の寸法は、各支持部分１２０の上下方向の寸法に対して、同じ、または、短い構成でもよい。また、上記実施形態において、把持部分１１０の一部が、上下方向（Ｚ軸方向）において一対の支持部分１２０の少なくとも一方と同じ位置に配置されていてもよい。また、把持部分１１０の縁部は、直線状に限らず、曲線状であってもよい。
【００３４】
図５は、変形例１に係る取っ手１００ａの把持部分１１０ａのＸＺ断面構成を示す斜視図である。本変形例の取っ手１００ａの構成は、次の点を除いて、上記実施形態の取っ手１００の構成と共通する。図５に示すように、本変形例の取っ手１００ａでは、把持部分１１０ａの左右方向（Ｘ軸方向）の両縁部は、板状部材が折り返されている折り返し部分１１３である。これにより、本変形例によれば、把持部分の縁部が折り返し部分１１３を有しない構成に比べて、把持部分１１０ａの縁部（側辺）の円味の程度が高くなるため、把持部分１１０ａの握り心地を向上させることができる。なお、本変形例において、把持部分１１０ａの左右方向の両縁部の一方だけが、板状部材が折り返されている部分であってもよい。また、把持部分１１０ａの左右方向の両縁部は、板状部材が折り返された部分に限らず、板状部材が折り返されている部分であればよく、例えば、板状部材が略９０度に折り曲げられた部分でもよい。
【００３５】
図６は、変形例２に係る取っ手１００ｂにおける把持部分１１０と連結部分１３０との接続部分を拡大して示す説明図である。本変形例の取っ手１００ｂの構成は、次の点を除いて、上記実施形態の取っ手１００の構成と共通する。図６に示すように、本変形例の取っ手１００ｂでは、把持部分１１０と連結部分１３０との接続部分にリブ１１６が形成されている。具体的には、図６（Ａ）に示すように、把持部分１１０と連結部分１３０との接続部分における前面側に凹部１１８が形成されている。図６（Ｂ）に示すように、把持部分１１０と連結部分１３０との接続部分における後面側にリブ１１６が突出するように形成されている。リブ１１６は、把持部分１１０と連結部分１３０とに跨がるように形成されている。これにより、把持部分１１０と連結部分１３０との間の接続強度を強化することができる。このリブ１１６は、例えば、上記実施形態の取っ手１００に対して、把持部分１１０と連結部分１３０との接続部分における前面側に凹部１１８を形成する加工を施すことにより形成することができる。なお、上記実施形態において、取っ手１００を製造する際、プレス加工により、取っ手１００を形成するとともにリブ１１６が形成されるようにしてもよい。これにより、取っ手１００とリブ１１６とを同時に形成することができる。なお、支持部分１２０と連結部分１３０との接続部分にリブを形成してもよい。
【００３６】
上記実施形態では、各連結部分１３０は、支持部分１２０に対して略垂直であり、かつ、把持部分１１０に対して略垂直であったが、これに限らず、例えば、一対の連結部分１３０の少なくとも一方は、支持部分１２０および連結部分１３０の少なくとも一方と直交しない構成でもよい。また、上記実施形態において、一対の連結部分１３０の少なくとも一方は、仮想平面Ｍとの距離が長くなるに連れて、他方の連結部分１３０との距離が長くなる方向に傾斜していてもよい。
【００３７】
上記実施形態の仕切具１０における各部材を形成する材料は、あくまで例示であり、各部材が他の材料により形成されてもよい。例えば、上記実施形態において、シート３００は、ビニール製に限らず、ビニール以外の樹脂製、布製など、他の材料により形成されたものでもよい。
【００３８】
上記実施形態では、本発明は、一対のシート３００を備える両開きの仕切具１０に適用されていたが、これに限らず、本発明は、１枚のシート（カーテン）を備える片開きの仕切具にも適用可能である。また、本発明は、カーテンに取り付けられる取っ手に限らず、引き戸や開き戸など、他の移動体に取り付けられる取っ手にも適用可能である。
【符号の説明】
【００３９】
１０：仕切具  １００，１００ａ，１００ｂ：取っ手  １００Ｌ：第２の取っ手  １００Ｒ：第１の取っ手  １１０，１１０ａ：把持部分  １１２，１２４：縁部  １１３：折り返し部分  １１６：リブ  １１８：凹部  １２０：支持部分  １２２：固定用孔  １３０：連結部分  ２００：レール  ２１０：レール本体  ２２０：ランナー  ３００：シート  ３００Ｌ：第２のシート  ３００Ｒ：第１のシート  ３１０：ハトメ  ３５０：サイドポール  ３５０Ｌ：第２のサイドポール  ３５０Ｒ：第１のサイドポール  ３５２：前面  ３６０：ビス  Ｌ１：第１の仮想直線  Ｌ２：第２の仮想直線  Ｍ：仮想平面
【図１】
2020002664.tif 000003
【図２】
2020002664.tif 000004
【図３】
2020002664.tif 000005
【図４】
2020002664.tif 000006
【図５】
2020002664.tif 000007
【図６】
2020002664.tif 000008